(57)【要約】【課題】消費電力を抑制しつつ指針を停止させておくことができる電子時計を提供する。【解決手段】電子時計は、電源と、回転方向ＣＷに沿って複数のエレクトレット膜４２が配置された回転子４０と、回転子と対向する位置に回転方向に沿って配置された複数の固定電極５１，５２，５３と、を有する静電モータ１１と、回転子の回転と連動して回転する指針と、静電モータを制御するモータ制御回路と、を備え、モータ制御回路は、指針を回転させる運針モード、および指針を停止させておく停止モードを選択的に実行し、停止モードにおいて、モータ制御回路は、固定電極５１，５２，５３の極性を維持したままで、固定電極からエレクトレット膜に対して作用させる静電力Ｆ１，Ｆ２によって回転子を停止させておく。【選択図】図９
2020041871.tif 000002
【特許請求の範囲】
【請求項１】
電源と、
回転方向に沿って複数のエレクトレット膜が配置された回転子と、前記回転子と対向する位置に前記回転方向に沿って配置された複数の固定電極と、を有する静電モータと、
前記回転子の回転と連動して回転する指針と、
前記静電モータを制御するモータ制御回路と、
を備え、
前記モータ制御回路は、前記指針を回転させる運針モード、および前記指針を停止させておく停止モードを選択的に実行し、
前記停止モードにおいて、前記モータ制御回路は、前記固定電極の極性を維持したままで、前記固定電極から前記エレクトレット膜に対して作用させる静電力によって前記回転子を停止させておく
ことを特徴とする電子時計。
【請求項２】
前記停止モードにおいて、前記モータ制御回路は、前記エレクトレット膜の中央部と対向している前記固定電極である対向電極によって、前記エレクトレット膜に対して静電引力を作用させる
請求項１に記載の電子時計。
【請求項３】
前記停止モードにおいて、前記モータ制御回路は、前記対向電極と隣接している前記固定電極である隣接電極によって、前記エレクトレット膜に対して静電斥力を作用させる
請求項２に記載の電子時計。
【請求項４】
更に、前記電源の電圧を昇圧して前記静電モータに供給する昇圧回路と、前記昇圧回路を制御する電圧制御回路と、を備え、
前記電圧制御回路は、前記停止モードにおいて、前記昇圧回路の消費電力を前記運針モードにおける前記昇圧回路の消費電力よりも低減させる
請求項１から３の何れか１項に記載の電子時計。
【請求項５】
前記電圧制御回路は、前記停止モードにおける前記昇圧回路のクロック数を前記運針モードにおける前記昇圧回路のクロック数よりも小さくする
請求項４に記載の電子時計。
【請求項６】
前記電圧制御回路は、前記停止モードにおける前記昇圧回路の昇圧倍率を前記運針モードにおける前記昇圧回路の昇圧倍率よりも低くする
請求項４または５に記載の電子時計。
【請求項７】
前記電圧制御回路は、前記停止モードにおいて前記昇圧回路による昇圧を停止させ、前記静電モータに対して前記電源の電圧以下の電圧を供給する
請求項４に記載の電子時計。
【請求項８】
更に、時針と、分針と、前記時針および前記分針を駆動する電磁モータと、を備え、
前記回転子の回転と連動して回転する前記指針は、秒針であり、
前記停止モードにおいて、前記時針および前記分針は前記電磁モータによって駆動され、前記秒針の回転が停止される
請求項１から７の何れか１項に記載の電子時計。
【発明の詳細な説明】
【技術分野】
【０００１】
本発明は、電子時計に関する。
【背景技術】
【０００２】
従来、電子時計において運針を停止する技術がある。特許文献１には、消費電力を低減させる節電モードおよび通常の時刻表示を行う表示モードが切り換えて設定される電子機器の技術が開示されている。特許文献１の節電モードは、ステッピングモータの駆動を停止して、運針を停止する動作モードである。
【０００３】
ところで、電子時計において指針を駆動する機構として、静電アクチュエータを用いた静電モータがある。静電アクチュエータの一例は、例えば、特許文献２に記載されている。
【先行技術文献】
【特許文献】
【０００４】
【特許文献１】特許第３４８４７０４号公報
【特許文献２】特開平４−１１２６８３号公報
【発明の概要】
【発明が解決しようとする課題】
【０００５】
電子時計において運針を停止する場合、指針の停止位置を維持できることが望ましい。一方で、指針の停止位置を維持するための消費電力を抑制できることが望まれる。特許文献１のようなステッピングモータを用いた場合、消費電力抑制中はスッテピングモータに駆動信号を印加しないため、消費電力を抑制できる。しかしながら、指針を駆動する機構として電子時計に静電モータが搭載される場合、特許文献１のように駆動信号を印加しないと静電モータがその位置に留まろうとする保持力が小さくなり、消費電力抑制中に電子時計に加わる衝撃などによって指針の位置がずれてしまう。
【０００６】
本発明の目的は、消費電力を抑制しつつ指針を停止させておくことができる電子時計を提供することである。
【課題を解決するための手段】
【０００７】
本発明の電子時計は、電源と、回転方向に沿って複数のエレクトレット膜が配置された回転子と、前記回転子と対向する位置に前記回転方向に沿って配置された複数の固定電極と、を有する静電モータと、前記回転子の回転と連動して回転する指針と、前記静電モータを制御するモータ制御回路と、を備え、前記モータ制御回路は、前記指針を回転させる運針モード、および前記指針を停止させておく停止モードを選択的に実行し、前記停止モードにおいて、前記モータ制御回路は、前記固定電極の極性を維持したままで、前記固定電極から前記エレクトレット膜に対して作用させる静電力によって前記回転子を停止させておくことを特徴とする。
【発明の効果】
【０００８】
本発明に係る電子時計は、電源と、回転方向に沿って複数のエレクトレット膜が配置された回転子と、回転子と対向する位置に回転方向に沿って配置された複数の固定電極と、を有する静電モータと、回転子の回転と連動して回転する指針と、静電モータを制御するモータ制御回路と、を備える。
【０００９】
モータ制御回路は、指針を回転させる運針モード、および指針を停止させておく停止モードを選択的に実行する。停止モードにおいて、モータ制御回路は、固定電極の極性を維持したままで、固定電極からエレクトレット膜に対して作用させる静電力によって回転子を停止させておく。本発明に係る電子時計によれば、固定電極の極性を維持したままで静電力によって回転子を停止させておくことで、消費電力を抑制しつつ指針を停止させておくことができるという効果を奏する。
【図面の簡単な説明】
【００１０】
【図１】図１は、第１実施形態に係る電子時計の正面図である。
【図２】図２は、第１実施形態に係る電子時計のブロック図である。
【図３】図３は、第１実施形態に係る静電モータの概略構成図である。
【図４】図４は、第１実施形態に係る静電モータの概略斜視図である。
【図５】図５は、運針制御の一例を示す図である。
【図６】図６は、第１実施形態に係る昇圧回路の図である。
【図７】図７は、昇圧回路の第一の状態を示す図である。
【図８】図８は、昇圧回路の第二の状態を示す図である。
【図９】図９は、第１実施形態に係る停止モードを説明する図である。
【図１０】図１０は、静電モータ動作時の昇圧回路における電力消費を説明する図である。
【図１１】図１１は、第１実施形態の停止モードに係るタイムチャートである。
【図１２】図１２は、第１実施形態の動作を示すフローチャートである。
【図１３】図１３は、第２実施形態に係る静電モータの概略構成図である。
【図１４】図１４は、第２実施形態に係る静電モータの概略斜視図である。
【図１５】図１５は、第２実施形態の運針制御の一例を示す図である。
【図１６】図１６は、第２実施形態の昇圧回路を示す図である。
【図１７】図１７は、第２実施形態に係る停止モードを説明する図である。
【図１８】図１８は、第２実施形態に係る停止モードの他の例を示す図である。
【図１９】図１９は、実施形態の第１変形例に係る昇圧回路を示す図である。
【図２０】図２０は、実施形態の第１変形例の昇圧回路における昇圧動作を説明する図である。
【図２１】図２１は、実施形態の第２変形例に係る昇圧回路を示す図である。
【発明を実施するための形態】
【００１１】
以下に、本発明の実施形態に係る電子時計につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１２】
［第１実施形態］
図１から図１２を参照して、第１実施形態について説明する。本実施形態は、電子時計に関する。図１は、第１実施形態に係る電子時計の正面図、図２は、第１実施形態に係る電子時計のブロック図、図３は、第１実施形態に係る静電モータの概略構成図、図４は、第１実施形態に係る静電モータの概略斜視図、図５は、運針制御の一例を示す図、図６は、第１実施形態に係る昇圧回路の図、図７は、昇圧回路の第一の状態を示す図、図８は、昇圧回路の第二の状態を示す図、図９は、第１実施形態に係る停止モードを説明する図、図１０は、昇圧回路における電力消費を説明する図、図１１は、第１実施形態の停止モードに係るタイムチャート、図１２は、第１実施形態の動作を示すフローチャートである。
【００１３】
本実施形態の電子時計１は、図１に示すように、秒針２、分針３、および時針４によって時刻を表示するアナログ電子時計である。電子時計１は、外装ケース３１、文字板３２、秒針２、分針３、時針４、および操作部１８を有する。本実施形態の電子時計１は、ユーザの腕に装着される腕時計である。電子時計１は、三つの指針（秒針２、分針３、および時針４）によって現在の時刻を表示する。
【００１４】
文字板３２は、目盛り３３および時字３４を有する。目盛り３３は、指針によって指し示される指標である。目盛り３３は、文字板３２の外縁部に、周方向に沿って所定の間隔で配置されている。時字３４は、各目盛り３３に対応する時刻を示す数字である。操作部１８は、ユーザによって操作される操作入力部である。本実施形態の操作部１８は、リューズである。
【００１５】
外装ケース３１には、節電表示３５および充電警告表示３６が設けられている。節電表示３５は、電子時計１のモードが停止モードであることを表示する文字や記号である。電子時計１は、後述するように、秒針２が節電表示３５を指し示すことで現在のモードが停止モードであることをユーザに示す。本実施形態の節電表示３５は、１２時の位置に配置されている。電子時計１は、後述するように、充電警告状態である場合に秒針２が充電警告表示３６を指し示す。本実施形態の充電警告表示３６は、４時の位置に配置されている。なお、節電表示３５および充電警告表示３６は、文字板３２に設けられてもよい。
【００１６】
図２に示すように、電子時計１は、更に、輪列５、静電モータ１１、電磁モータ１２、静電モータ駆動回路１３、定電圧源１４、昇圧回路１５、発電機構１６、電源１７、および制御回路２０を有する。
【００１７】
輪列５は、静電モータ１１と秒針２との間に介在している。輪列５は、少なくとも一つの歯車を有する減速輪列であり、静電モータ１１が発生する回転力を秒針２に伝達する。輪列５は、文字板３２に対して背面側に配置されている。輪列５は、静電モータ１１の回転軸の回転を所定の減速比で変速して秒針２に伝達する。
【００１８】
静電モータ１１は、静電材料としてエレクトレットを用い、エレクトレット膜と固定電極との間の静電的な相互作用を利用して回転子を回転駆動するエレクトレットモータである。静電モータ１１の構成の詳細については、後述する。静電モータ駆動回路１３は、静電モータ１１に対する駆動電流を制御する回路である。
【００１９】
電磁モータ１２は、電磁誘導を利用したモータであり、例えば、ステッピングモータである。電磁モータ１２は、駆動状態と一時停止保持状態とを繰り返す間欠駆動によって分針３および時針４を回転させる。電磁モータ１２は、例えば、減速輪列を介して分針３および時針４と連結されている。電磁モータ１２は、分針３および時針４を運針させる。
【００２０】
電源１７は、静電モータ１１および電磁モータ１２に対して駆動用の電力を供給する。本実施形態の電源１７は、二次電池である。本実施形態の電源１７の出力電圧は、低圧であり、例えば、２〜３［Ｖ］である。電源１７には、発電機構１６が接続されている。電源１７は、発電機構１６によって発電された電力によって蓄電される。本実施形態の発電機構１６は、静電誘導型の発電機構である。発電機構１６は、電子時計１が装着されている腕の動き等によって回転する回転子の回転エネルギーを電気エネルギーに変換する。もちろん、太陽発電機構、電磁発電機構、熱発電機構、静電誘導発電などの機構を、発電機構１６として用いてもよい。
【００２１】
定電圧源１４は、電源１７と昇圧回路１５との間に設けられている。定電圧源１４は、電源１７の出力電圧を予め定められた所定電圧に降圧して昇圧回路１５に供給する。定電圧源１４は、電源１７の出力電圧が変動した場合にも昇圧回路１５の入力電圧を一定に保つことができるように構成されている。定電圧源１４は無くても構わない。
【００２２】
昇圧回路１５は、定電圧源１４から入力する電圧を昇圧して静電モータ駆動回路１３に供給する。本実施形態の昇圧回路１５は、所定の倍率で電圧を昇圧する。昇圧回路１５の詳細については後述する。定電圧源１４がない場合には、電源１７が二次電池などのように電圧が変動するため、昇圧倍率を複数用意しておいて、昇圧回路１５の後段の電圧が概同じになるように昇圧倍率を切り替えても構わない。
【００２３】
静電モータ駆動回路１３は、昇圧回路１５を介して供給される電力によって静電モータ１１を駆動する回路である。静電モータ駆動回路１３は、昇圧回路１５と静電モータ１１との間に介在している。
【００２４】
制御回路２０は、静電モータ１１、電磁モータ１２、および昇圧回路１５を制御する回路である。つまり、本実施形態の制御回路２０は、静電モータ１１を制御するモータ制御回路の機能、および昇圧回路１５を制御する電圧制御回路の機能を有する。
【００２５】
静電モータ１１は、図３および図４に示すように、回転子４０、回転軸４１、および固定子５０を有する。本実施形態の回転子４０および固定子５０は、それぞれ円盤形状であるが、固定子５０は円盤形状に限定されず、四角などの形状でも良い。本実施形態の固定子５０は、回転不能なように筐体等に対して固定されている。回転軸４１は、回転子４０に対して固定されている。回転軸４１は、筐体等によって回転自在に支持されている。回転子４０は、固定子５０と同軸上に、かつ固定子５０に対して隙間をあけて対向している。
【００２６】
回転子４０は、シリコン基板、帯電用の電極面が設けられたガラスエポキシ基板、あるいはアルミ板などの基板材料により形成された円盤形状の部材である。回転子４０において、固定子５０と対向する面には、複数のエレクトレット膜４２が形成されている。エレクトレット膜４２は、回転軸４１を中心とする回転方向に沿って等間隔で配置されている。エレクトレット膜４２は、エレクトレット材料で構成されている薄膜である。本実施形態のエレクトレット膜４２は、マイナスの電位に帯電している。回転子４０には、隣接するエレクトレット膜４２の間に貫通孔４３が形成されている。
【００２７】
固定子５０において、回転子４０と対向する面には複数の固定電極５１，５２，５３が配置されている。本実施形態の静電モータ１１は、Ｕ相、Ｖ相、Ｗ相の三相式のモータである。固定電極５１は、Ｕ相に対応する電極であり、以下の説明では「第一電極５１」と称する。固定電極５２は、Ｖ相に対応する電極であり、以下の説明では「第二電極５２」と称する。固定電極５３は、Ｗ相に対応する電極であり、以下の説明では「第三電極５３」と称する。第一電極５１、第二電極５２、および第三電極５３は、回転子４０の回転方向に沿って等間隔で配置されている。
【００２８】
固定子５０には、第一電極５１、第二電極５２、および第三電極５３からなる電極群５４が複数配置されている。複数の電極群５４は、回転子４０の回転方向に沿って等間隔で配置されている。
【００２９】
各第一電極５１は、共通の第一配線を介して静電モータ駆動回路１３に電気的に接続されている。つまり、各第一電極５１には、共通の駆動パルスが入力される。同様に、各第二電極５２は、共通の第二配線を介して静電モータ駆動回路１３に電気的に接続されており、各第三電極５３は、共通の第三配線を介して静電モータ駆動回路１３に電気的に接続されている。従って、各第二電極５２には、静電モータ駆動回路１３から共通の駆動パルスが入力され、各第三電極５３には、静電モータ駆動回路１３から共通の駆動パルスが入力される。
【００３０】
各電極５１，５２，５３は、駆動パルスによって生じる極性に応じてエレクトレット膜４２との間に引力あるいは斥力を発生させる。静電モータ駆動回路１３は、各電極５１，５２，５３からエレクトレット膜４２に作用する静電力によって、回転子４０を回転させ、あるいは回転子４０を停止させる。
【００３１】
図５には、回転子を回転駆動する制御の一例が示されている。図５の（ａ）に示す状態では、エレクトレット膜４２の中央部４２ａが第一電極５１と対向している。この場合、静電モータ駆動回路１３は、第一電極５１を負極とし、第二電極５２および第三電極５３を正極とする。これにより、第一電極５１はエレクトレット膜４２に対して静電斥力を作用させ、第二電極５２および第三電極５３はエレクトレット膜４２に対して静電引力を作用させる。回転方向ＣＷの前方に位置する第二電極５２および第三電極５３から静電引力が作用することで、エレクトレット膜４２に対して回転方向ＣＷへ向かう回転力が付与される。また、回転方向ＣＷの後方に位置する第一電極５１から静電斥力が作用することで、エレクトレット膜４２に対して回転方向ＣＷへ向かう回転力が付与される。
【００３２】
図５の（ｂ）に示す状態では、エレクトレット膜４２の中央部４２ａが第二電極５２と対向している。この場合、静電モータ駆動回路１３は、第二電極５２を負極とし、第一電極５１および第三電極５３を正極とする。第一電極５１および第三電極５３からエレクトレット膜４２に対して作用する静電引力と、第二電極５２からエレクトレット膜４２に対して作用する静電斥力とにより、エレクトレット膜４２に対して回転方向ＣＷへ向かう回転力が付与される。
【００３３】
図５の（ｃ）に示す状態では、エレクトレット膜４２の中央部４２ａが第三電極５３と対向している。この場合、静電モータ駆動回路１３は、第三電極５３を負極とし、第一電極５１および第二電極５２を正極とする。第一電極５１および第二電極５２からエレクトレット膜４２に対して作用する静電引力と、第三電極５３からエレクトレット膜４２に対して作用する静電斥力とにより、エレクトレット膜４２に対して回転方向ＣＷへ向かう回転力が付与される。静電モータ駆動回路１３は、エレクトレット膜４２の回転位置に応じて第一電極５１、第二電極５２、および第三電極５３の極性を順次切り替えることにより、回転子４０を回転させる。
【００３４】
図６に示すように、昇圧回路１５は、第一コンデンサ２１、第二コンデンサ２２、第三コンデンサ２３、第四コンデンサ２４、第一スイッチ２５、および第二スイッチ２６を有する。昇圧回路１５は、以下に説明するように、第一コンデンサ２１、第二コンデンサ２２、および第三コンデンサ２３を定電圧源１４に対して並列あるいは直列に交互につなぎ替えることで、定電圧源１４の出力電圧を昇圧して第四コンデンサ２４に蓄電する。
【００３５】
第一スイッチ２５および第二スイッチ２６は、例えばＭＯＳＦＥＴ（Metal-Oxide-Semiconductor  Field-Effect  Transistor）等のスイッチング素子である。昇圧回路１５は、第一スイッチ２５として、六つのスイッチ２５ａ，２５ｂ，２５ｃ，２５ｄ，２５ｅ，２５ｆを有する。スイッチ２５ａは、定電圧源１４と第一コンデンサ２１の第一電極２１ａとを接続および遮断する。スイッチ２５ｂは、定電圧源１４と第二コンデンサ２２の第一電極２２ａとを接続および遮断する。スイッチ２５ｃは、定電圧源１４と第三コンデンサ２３の第一電極２３ａとを接続および遮断する。スイッチ２５ｄは、第一コンデンサ２１の第二電極２１ｂと第四コンデンサ２４の第二電極２４ｂとを接続および遮断する。スイッチ２５ｅは、第二コンデンサ２２の第二電極２２ｂと第四コンデンサ２４の第二電極２４ｂとを接続および遮断する。スイッチ２５ｆは、第三コンデンサ２３の第二電極２３ｂと第四コンデンサ２４の第二電極２４ｂとを接続および遮断する。
【００３６】
昇圧回路１５は、第二スイッチ２６として、四つのスイッチ２６ａ，２６ｂ，２６ｃ，２６ｄを有する。スイッチ２６ａは、定電圧源１４と、第一コンデンサ２１の第二電極２１ｂおよび第四コンデンサ２４の第二電極２４ｂとを接続および遮断する。スイッチ２６ｂは、第一コンデンサ２１の第一電極２１ａと第二コンデンサ２２の第二電極２２ｂとを接続および遮断する。スイッチ２６ｃは、第二コンデンサ２２の第一電極２２ａと第三コンデンサ２３の第二電極２３ｂとを接続および遮断する。スイッチ２６ｄは、第三コンデンサ２３の第一電極２３ａと第四コンデンサ２４の第一電極２４ａとを接続および遮断する。第四コンデンサ２４の第一電極２４ａは、静電モータ駆動回路１３の入力に接続されている。
【００３７】
第一スイッチ２５がオンとされ、かつ第二スイッチ２６がオフとされることで、昇圧回路１５は、図７に示す回路と等価な回路となる。図７に示すように、第一コンデンサ２１、第二コンデンサ２２、および第三コンデンサ２３は、それぞれ定電圧源１４に対して並列に接続される。従って、三つのコンデンサ２１，２２，２３は、定電圧源１４の出力電圧によって蓄電される。
【００３８】
一方、第一スイッチ２５がオフとされ、かつ第二スイッチ２６がオンとされることで、昇圧回路１５は、図８に示す回路と等価な回路となる。図８に示すように、第一コンデンサ２１、第二コンデンサ２２、および第三コンデンサ２３は、定電圧源１４に対して直列に接続される。第四コンデンサ２４は、定電圧源１４および三つのコンデンサ２１，２２，２３と並列に接続され、定電圧源１４および三つのコンデンサ２１，２２，２３によって蓄電される。すなわち、定電圧源１４の電圧が四倍に昇圧されて第四コンデンサ２４に蓄電される。また、昇圧回路１５によって昇圧された電圧は、静電モータ駆動回路１３に供給される。
【００３９】
制御回路２０は、第一スイッチ２５を制御する信号、および第二スイッチ２６を制御する信号をそれぞれ出力する。また、制御回路２０は、電子時計１の制御に関する各種のクロック信号を生成および出力する。制御回路２０は、昇圧回路を図７に示す状態とする第一制御信号、および昇圧回路１５を図８に示す状態とする第二制御信号を交互に出力する。昇圧回路１５は、制御回路２０からの制御信号に応じて、図７に示す状態と、図８に示す状態とを交互に繰り返しながら、静電モータ駆動回路１３に対して昇圧電圧を供給する。
【００４０】
本実施形態の制御回路２０は、運針モードおよび停止モードを選択的に実行する。運針モードは、秒針２を回転させる制御モードである。運針モードは、秒針２、分針３、および時針４の全てを運針させる通常モードである。制御回路２０は、運針モードにおいて、電磁モータ１２によって分針３および時針４を運針させ、静電モータ１１によって秒針２を運針させる。すなわち、運針モードでは、秒針２、分針３、および時針４の全てが現在時刻に対応する位置を指し示す。運針モードにおいて、制御回路２０は、図５を参照して説明したように静電モータ１１を回転駆動して、秒針２を連続回転させる。
【００４１】
停止モードは、秒針２を停止させておく制御モードである。停止モードは、分針３および時針４を運針させつつ秒針２を停止させておく節電モードである。制御回路２０は、停止モードにおいて、電磁モータ１２によって分針３および時針４を運針させ、静電モータ１１によって秒針２を停止させる。本実施形態の制御回路２０は、以下に説明するように、停止モードにおいて、固定電極５１，５２，５３の極性を維持したままで静電モータ１１の回転子４０を停止させておく。本実施形態の電子時計１は、停止モードにおいて固定電極５１，５２，５３の極性を切り替えないことで、秒針２の指針位置を保持しつつ消費電力を低減することができる。
【００４２】
図９を参照して、停止モードにおける静電モータ１１の動作について説明する。制御回路２０は、停止モードにおいて、対向電極によってエレクトレット膜４２に対して静電引力Ｆ１を作用させる。ここで、対向電極は、複数の固定電極５１，５２，５３のうち、エレクトレット膜４２の中央部４２ａと対向している電極である。図９では、第三電極５３がエレクトレット膜４２の中央部４２ａと対向している。この場合、第三電極５３が対向電極となる。
【００４３】
停止モードにおいて、制御回路２０は、対向電極を正極とする。つまり、制御回路２０は、対向電極の極性をエレクトレット膜４２の極性とは逆の極性とする。図９では、対向電極である第三電極５３をプラスの正極としている。第三電極５３は、エレクトレット膜４２に対して静電引力Ｆ１を作用させる。静電引力Ｆ１は、エレクトレット膜４２の回転位置を第三電極５３と対向する位置に維持するように働く。すなわち、エレクトレット膜４２が第三電極５３から遠ざかるように回転子４０が回転しようとすると、静電引力Ｆ１によってその動きが規制される。
【００４４】
停止モードにおいて、制御回路２０は、隣接電極によってエレクトレット膜４２に対して静電斥力を作用させる。ここで、隣接電極は、複数の固定電極５１，５２，５３のうち、対向電極と隣接している電極である。図９では、第一電極５１および第二電極５２が隣接電極である。
【００４５】
停止モードにおいて、制御回路２０は、隣接電極を負極とする。図９では、隣接電極である第一電極５１および第二電極５２がそれぞれマイナスに帯電している。第一電極５１および第二電極５２は、それぞれエレクトレット膜４２に対して静電斥力Ｆ２を作用させる。第二電極５２が発生させる静電斥力Ｆ２は、回転方向ＣＷに向かう斥力である。一方、第一電極５１が発生させる静電斥力Ｆ２は、回転方向ＣＷとは逆方向に向かう斥力である。従って、静電斥力Ｆ２は、エレクトレット膜４２の回転位置を第三電極５３と対向する位置に維持するように働く。すなわち、エレクトレット膜４２が第三電極５３から遠ざかるように回転子４０が回転しようとすると、静電斥力Ｆ２によってその動きが規制される。このため、回転子４０は各エレクトレット膜４２に静電引力Ｆ１、静電斥力Ｆ２が働くため、保持力が発生し、停止モードにおける電子時計１に加わる衝撃などによる指針の位置ずれを防止できる。
【００４６】
制御回路２０は、停止モードにおいて、対向電極（ここでは、第三電極５３）の極性をプラスに維持し、かつ隣接電極（ここでは、第一電極５１および第二電極５２）の極性をマイナスに維持する。各固定電極５１，５２，５３の極性が切り替えられないことで、静電モータ１１における消費電力が低減される。
【００４７】
図１０は静電モータ動作時の昇圧回路における電力消費を説明する図である。図１０を参照して、固定電極５１，５２，５３の極性が切り換えられることによる電力消費について説明する。図１０には、昇圧クロック信号ＳＷ、昇圧電圧ＶＷ、および電流波形ＩＷが示されている。昇圧クロック信号ＳＷは、昇圧回路１５における昇圧動作の切り替え信号である。昇圧クロック信号ＳＷのオン／オフに応じて、上記の第一制御信号および第二制御信号が切り替えられる。
【００４８】
昇圧電圧ＶＷは、静電モータ駆動回路１３に対して供給される電圧である。電流波形ＩＷは、昇圧回路１５を流れる電流値である。昇圧クロック信号ＳＷがオンとオフの間で切り替わるごとに大きな電流が瞬間的に流れ、電流波形ＩＷがスパイク状に立ち上がる。図１０では、時刻ｔ１において固定電極５１，５２，５３の極性が切り替えられる。極性の切り換えに伴い、寄生容量等によって一時的に昇圧電圧ＶＷが低下する。その結果、低下した昇圧電圧ＶＷを戻すために、電流を流す必要があるため、昇圧回路１５における消費電力が増加する。
【００４９】
昇圧クロック信号ＳＷに応じたクロック動作の切り換わりにより、レベルシフタの貫通電流や、スイッチ２５，２６におけるドライバーのゲートの充放電電流によって電力が消費される。つまり、クロック動作によって、昇圧回路１５における電力消費量が増加する。昇圧回路１５における電力消費量は、昇圧クロック信号ＳＷおよび昇圧電圧ＶＷに依存する。例えば、昇圧クロック信号ＳＷの周波数が大きいほど消費電力が大きくなり、昇圧電圧ＶＷが高いほど消費電力が大きくなる。
【００５０】
本実施形態の電子時計１では、停止モードにおいて固定電極５１，５２，５３の極性の切り換えが行われない。よって、本実施形態の電子時計は、停止モードにおける消費電力を低減させることができる。図１１には、停止モードにおける昇圧クロック信号ＳＷ２、昇圧電圧ＶＷ２、および電流波形ＩＷ２が示されている。固定電極５１，５２，５３の極性の切り換えがないことで、図１１に示すように、昇圧電圧ＶＷ２に変動が生じない。
【００５１】
更に、本実施形態の制御回路２０は、停止モードにおいて、昇圧回路１５の消費電力を運針モードにおける昇圧回路１５の消費電力よりも低減させる制御を実行する。具体的な例として、本実施形態の制御回路２０は、停止モードにおける昇圧回路１５のクロック数を運針モードにおけるクロック数よりも低くする。昇圧回路１５のクロック数Ｎは、例えば、単位時間当りの昇圧クロック信号ＳＷのパルス数である。図１１には、比較のために、運針モードにおける昇圧クロック信号ＳＷ１が破線で示されている。
【００５２】
ここでは、運針モードにおけるクロック数Ｎを第一クロック数Ｎ１と称し、停止モードにおけるクロック数Ｎを第二クロック数Ｎ２と称する。本実施形態では、下記式（１）のようにクロック数Ｎが設定されている。つまり、第二クロック数Ｎ２は、第一クロック数Ｎ１よりも小さい。第二クロック数Ｎ２は、例えば、第一クロック数Ｎ１の半分の値であってもよい。
Ｎ１＞Ｎ２…（１）
【００５３】
第二クロック数Ｎ２が第一クロック数Ｎ１よりも小さいことで、停止モードにおける昇圧回路１５の消費電力が低減される。例えば、単位時間に発生する電流波形ＩＷのスパイクが減少する。よって、本実施形態の電子時計１は、消費電力の低減と、秒針２の停止位置保持とを両立させることができる。
【００５４】
本実施形態の電子時計１は、例えば、図１２を参照して説明するように、制御モードを切り替える。図１２に示す制御フローは、例えば、所定の間隔で繰り返し実行される。ステップＳ１０において、制御回路２０は、電子時計１の制御モードを運針モードに設定する。ステップＳ１０が実行されると、ステップＳ２０に進む。
【００５５】
ステップＳ２０において、制御回路２０は、発電なしが３０分以上継続しているか否かを判定する。発電機構１６による発電がなされていない状態が３０分以上継続している場合、ステップＳ２０において肯定判定がなされてステップＳ３０に進む。一方、ステップＳ２０において否定判定がなされると、ステップＳ１０に移行する。
【００５６】
ステップＳ３０において、制御回路２０は、電子時計１の制御モードを停止モードに設定する。制御回路２０は、静電モータ１１によって秒針２を停止させる。本実施形態の制御回路２０は、予め定められた停止位置で秒針２を停止させる。秒針２の停止位置は、節電表示３５を指し示す位置である。従って、制御回路２０は、停止モードが設定されると、節電表示３５を指し示す位置まで秒針２を運針させ、節電表示３５を指し示す位置で秒針２を停止させる。
【００５７】
停止モードから運針モードに復帰する条件は、発電機構１６による発電が検出されることである。制御回路２０は、例えば、発電機構１６による発電が検知され、かつ発電機構１６による発電時間の累計が所定の判定値に達すると、静電モータ１１を駆動して秒針２を内部時刻に対応する位置まで回転させて電子時計１の制御モードを運針モードに切り替える。内部時刻は、制御回路２０内にある現在時刻を保持している現在時刻保持部から取得した時刻である。
【００５８】
以上説明したように、本実施形態の電子時計１は、電源１７と、静電モータ１１と、秒針２と、制御回路２０と、を有する。静電モータ１１は、回転子４０と、複数の固定電極５１，５２，５３とを有する。回転子４０には、回転方向に沿って複数のエレクトレット膜４２が配置されている。複数の固定電極５１，５２，５３は、回転子４０と対向する位置に回転子４０の回転方向に沿って配置されている。制御回路２０は、静電モータ１１を制御するモータ制御回路として機能するように構成されている。
【００５９】
制御回路２０は、秒針２を回転させる運針モード、および秒針２を停止させておく停止モードを選択的に実行する。停止モードにおいて、制御回路２０は、固定電極５１，５２，５３の極性を維持したままで、固定電極５１，５２，５３からエレクトレット膜４２に対して作用させる静電力によって回転子４０を停止させておく。本実施形態の電子時計１は、停止モードにおいて固定電極５１，５２，５３の極性を維持しておくことで、消費電力を抑制しつつ秒針２を停止させておくことができる。
【００６０】
本実施形態の制御回路２０は、停止モードにおいて、対向電極によって、エレクトレット膜４２に対して静電引力を作用させる。対向電極は、エレクトレット膜４２の中央部４２ａと対向している固定電極５１，５２，５３である。中央部４２ａは、例えば、回転方向ＣＷにおけるエレクトレット膜４２の中央部である。対向電極によってエレクトレット膜４２に対して静電引力を作用させることで、秒針２を停止させておく適切な保持力を発生させることができる。
【００６１】
本実施形態の制御回路２０は、停止モードにおいて、隣接電極によってエレクトレット膜４２に対して静電斥力を作用させる。隣接電極は、対向電極と隣接している固定電極５１，５２，５３である。隣接電極が作用させる静電斥力により、秒針２の回転を規制することができる。
【００６２】
本実施形態の電子時計１は、更に、昇圧回路１５と、電圧制御回路と、を有する。昇圧回路１５は、電源１７の電圧を昇圧して静電モータ１１に供給する回路である。制御回路２０は、電圧制御回路としての機能を有する様に構成されている。制御回路２０は、停止モードにおいて、昇圧回路１５の消費電力を運針モードにおける消費電力よりも低減させる。昇圧回路１５における消費電力が低減されることで、消費電力を抑制しつつ秒針２を停止させておくことができる。
【００６３】
本実施形態の制御回路２０は、停止モードにおける昇圧回路１５のクロック数（第二クロック数Ｎ２）を運針モードにおける昇圧回路１５のクロック数（第一クロック数Ｎ１）よりも小さくする。これにより、停止モードにおける消費電力が低減される。
【００６４】
なお、本実施形態の静電モータ１１は、回転子４０に対して軸方向の両側に固定電極を有していてもよい。この場合、回転子４０に対して、固定子５０とは反対側に第二の固定子が配置される。第二の固定子には、Ｕ相、Ｖ相、およびＷ相の固定電極が配置される。停止モードにおいては、第二の固定子に配置された固定電極のうち、対向電極が陽極とされ、隣接電極が陰極とされる。
【００６５】
［第２実施形態］
図１３から図１８を参照して、第２実施形態について説明する。第２実施形態については、上記第１実施形態で説明したものと同様の機能を有する構成要素には同一の符号を付して重複する説明は省略する。図１３は、第２実施形態に係る静電モータの概略構成図、図１４は、第２実施形態に係る静電モータの概略斜視図、図１５は、第２実施形態の運針制御の一例を示す図、図１６は、第２実施形態の昇圧回路を示す図、図１７は、第２実施形態に係る停止モードを説明する図、図１８は、第２実施形態に係る停止モードの他の例を示す図である。
【００６６】
図１３および図１４に示すように、第２実施形態に係る静電モータ１１は、回転子４０、回転軸４１、第一固定子６０Ａ、および第二固定子６０Ｂを有する。第一固定子６０Ａおよび第二固定子６０Ｂの形状は、円盤形状であるが、固定子５０は円盤形状に限定されず、四角などの形状でも良い。本実施形態の第一固定子６０Ａおよび第二固定子６０Ｂは、回転子４０を間に挟んで互いに対向している。つまり、第一固定子６０Ａは、回転子４０における一方側の面と対向しており、第二固定子６０Ｂは、回転子４０における他方側の面と対向している。回転子４０は、第一固定子６０Ａおよび第二固定子６０Ｂと同軸上に、かつ第一固定子６０Ａおよび第二固定子６０Ｂと隙間をあけて配置されている。
【００６７】
本実施形態の静電モータ１１は、二相式のモータである。第一固定子６０Ａにおいて、回転子４０と対向する面には固定電極としての第一電極６１および第二電極６２が配置されている。第一電極６１および第二電極６２は、回転子４０の回転方向に沿って交互に配置されている。第二固定子６０Ｂにおいて、回転子４０と対向する面には固定電極としての第三電極６３および第四電極６４が配置されている。第三電極６３および第四電極６４は、回転子４０の回転方向に沿って交互に配置されている。第三電極６３および第四電極６４は、第一電極６１および第二電極６２の何れとも回転位相がずれている。具体的には、隣接する第三電極６３および第四電極６４からなる電極対は、隣接する第一電極６１および第二電極６２からなる電極対に対して１／４周期ずらして配置されている。
【００６８】
各第一電極６１は、共通の第一配線を介して静電モータ駆動回路１３に電気的に接続されている。各第二電極６２は、共通の第二配線を介して静電モータ駆動回路１３に電気的に接続されている。各第三電極６３は、共通の第三配線を介して静電モータ駆動回路１３に電気的に接続されている。各第四電極６４は、共通の第四配線を介して静電モータ駆動回路１３に電気的に接続されている。
【００６９】
図１５には、回転子４０を回転駆動する制御の一例が示されている。図１５の（ａ）に示す状態では、第三電極６３がエレクトレット膜４２の中央部４２ａと対向している。第一電極６１および第四電極６４は、エレクトレット膜４２に対して回転方向ＣＷの前方に位置し、第二電極６２は回転方向ＣＷの後方に位置している。この場合に、制御回路２０は、第二電極６２および第三電極６３を負極とし、第一電極６１および第四電極６４を正極とする。第二電極６２は、エレクトレット膜４２に対して回転方向ＣＷに向かう静電斥力を作用させる。第一電極６１および第四電極６４は、エレクトレット膜４２に対して回転方向ＣＷに向かう静電引力を作用させる。
【００７０】
図１５の（ｂ）に示す状態では、第一電極６１がエレクトレット膜４２の中央部４２ａと対向している。第二電極６２および第四電極６４は、エレクトレット膜４２に対して回転方向ＣＷの前方に位置し、第三電極６３は、回転方向ＣＷの後方に位置している。この場合に、制御回路２０は、第一電極６１および第三電極６３を負極とし、第二電極６２および第四電極６４を正極とする。その結果、エレクトレット膜４２に対して回転方向ＣＷに向かう静電力が作用する。
【００７１】
図１５の（ｃ）に示す状態では、第四電極６４がエレクトレット膜４２の中央部４２ａと対向している。第二電極６２および第三電極６３は、エレクトレット膜４２に対して回転方向ＣＷの前方に位置し、第一電極６１は回転方向ＣＷの後方に位置している。この場合に、制御回路２０は、第一電極６１および第四電極６４を負極とし、第二電極６２および第三電極６３を正極とする。その結果、エレクトレット膜４２に対して回転方向ＣＷに向かう静電力が作用する。
【００７２】
図１５の（ｄ）に示す状態では、第二電極６２がエレクトレット膜４２の中央部４２ａと対向している。第一電極６１および第三電極６３は、エレクトレット膜４２に対して回転方向ＣＷの前方に位置し、第四電極６４は回転方向ＣＷの後方に位置している。この場合、制御回路２０は、第二電極６２および第四電極６４を負極とし、第一電極６１および第三電極６３を正極とする。その結果、エレクトレット膜４２に対して回転方向ＣＷに向かう静電力が作用する。
【００７３】
上記のように制御回路２０は、第一電極６１、第二電極６２、第三電極６３、および第四電極６４の極性を順次切り替えていくことにより、回転子４０に対して回転力を与える。本実施形態の静電モータ１１は、第一固定子６０Ａおよび第二固定子６０Ｂがそれぞれ二相の電極を有しており、実質的に四相のモータとして制御される。
【００７４】
図１６は、第２実施形態の昇圧回路を示す図である。第２実施形態の昇圧回路１５において、上記第１実施形態の昇圧回路１５（図６）と異なる点は、電源１７と静電モータ駆動回路１３との間に第三スイッチ２７が設けられている点である。第三スイッチ２７がオンとされた場合、定電圧源１４および昇圧回路１５を介さずに電源１７が静電モータ駆動回路１３の入力部に接続される。この場合、電源１７の出力電圧が静電モータ駆動回路１３に対する入力電圧となる。
【００７５】
図１７を参照して、第２実施形態の停止モードにおける静電モータ１１の動作について説明する。制御回路２０は、停止モードにおいて、対向電極によってエレクトレット膜４２に対して静電引力を作用させる。図１７に示す状態では、第一電極６１および第三電極６３がエレクトレット膜４２の中央部４２ａと対向している。第四電極６４は、エレクトレット膜４２の中央部４２ａに対して回転方向ＣＷの前方に位置している。第二電極６２は、エレクトレット膜４２の中央部４２ａに対して回転方向ＣＷの後方に位置している。つまり、第一電極６１および第三電極６３が対向電極であり、第二電極６２および第四電極６４が隣接電極である。
【００７６】
この状態において、制御回路２０は、第一電極６１および第三電極６３を正極とし、第二電極６２および第四電極６４を負極とする。第一電極６１および第三電極６３は、エレクトレット膜４２に対して静電引力を作用させる。なお、第一電極６１の位相と第三電極６３の位相には位相差がある。このため、第一電極６１は、エレクトレット膜４２に対して回転方向ＣＷへ向かう静電引力Ｆ１１を作用させる。一方、第三電極６３は、エレクトレット膜４２に対して回転方向ＣＷとは逆方向の静電引力Ｆ１２を作用させる。これらの静電引力Ｆ１１，Ｆ１２は、回転方向ＣＷにおいて互いに相殺される。つまり、回転子４０は、静電引力Ｆ１１，Ｆ１２が釣り合う位置で停止する。
【００７７】
第二電極６２は、エレクトレット膜４２に対して回転方向ＣＷに向かう静電斥力Ｆ２１を作用させる。一方、第四電極６４は、エレクトレット膜４２に対して回転方向ＣＷとは逆方向の静電斥力Ｆ２２を作用させる。これらの静電斥力Ｆ２１，Ｆ２２は、互いに相殺される。つまり、回転子４０は、静電斥力Ｆ２１，Ｆ２２が釣り合う位置で停止する。
【００７８】
本実施形態の制御回路２０は、停止モードにおいて、昇圧回路１５による昇圧を停止させ、静電モータ１１に対して電源１７の電圧を供給する。制御回路２０は、停止モードにおいて昇圧回路１５による昇圧を停止させ、第三スイッチ２７をオンとする。第三スイッチ２７を介して電源１７と静電モータ駆動回路１３とが接続される。これにより、電源１７の電圧が静電モータ駆動回路１３に供給される。制御回路２０は、昇圧回路１５による昇圧を停止させる場合、第一スイッチ２５および第二スイッチ２６をオフとしてもよい。
【００７９】
昇圧回路１５による昇圧が停止されることで、昇圧回路１５における電力消費が低減される。よって、本実施形態の電子時計１は、停止モードにおいて秒針２の指針位置を保持しつつ消費電力を低減することができる。
【００８０】
なお、制御回路２０は、停止モードにおいて、静電モータ１１に対して電源１７の電圧よりも低い電圧を供給してもよい。例えば、停止モードにおいて、定電圧源１４の出力電圧が静電モータ駆動回路１３に供給されてもよい。この場合、例えば、第一スイッチ２５ｃ、第二スイッチ２６ｄが、定電圧源１４と静電モータ駆動回路１３とを接続するように配置される。
【００８１】
なお、図１７に示す停止モードでは、回転子４０は、静電引力Ｆ１１，Ｆ１２が釣り合う位置で停止していたが、図１８に示す静電力によって回転子４０が停止させられてもよい。図１８に示す停止モードでは、第三電極６３がエレクトレット膜４２に対して静電引力Ｆ１３を作用させ、第一電極６１、第二電極６２、および第四電極６４がエレクトレット膜４２に対して静電斥力Ｆ２３，Ｆ２４，Ｆ２５，Ｆ２６を作用させる。より詳しくは、第一電極６１は、エレクトレット膜４２に対して回転方向ＣＷとは逆方向の静電斥力Ｆ２３を作用させる。第二電極６２は、エレクトレット膜４２に対して回転方向ＣＷの静電斥力Ｆ２４を作用させる。第四電極６４は、エレクトレット膜４２に対して回転方向ＣＷの静電斥力Ｆ２５および回転方向ＣＷとは逆方向の静電斥力Ｆ２６を作用させる。回転子４０は、回転方向ＣＷの二つの静電斥力Ｆ２４，Ｆ２５と、逆方向の二つの静電斥力Ｆ２３，Ｆ２６とが釣り合う位置において停止する。
【００８２】
以上説明したように、第２実施形態に係る制御回路２０は、停止モードにおいて昇圧回路１５による昇圧を停止させ、静電モータ１１に対して電源１７の電圧以下の電圧を供給することによって回転子４０に静電引力Ｆ１１，Ｆ１２，Ｆ１３、静電斥力Ｆ２１，Ｆ２２，Ｆ２３，Ｆ２４，Ｆ２５，Ｆ２６を印加しつつ、停止モードにおいて昇圧回路１５の消費電力を低減させる。
【００８３】
［実施形態の第１変形例］
上記第１実施形態および第２実施形態の第１変形例について説明する。図１９は、実施形態の第１変形例に係る昇圧回路を示す図、図２０は、実施形態の第１変形例の昇圧回路における昇圧動作を説明する図である。実施形態の第１変形例に係る昇圧回路１５において、上記第１実施形態の昇圧回路１５と異なる点は、第四スイッチ２８および第五スイッチ２９を有する点である。
【００８４】
昇圧回路１５は、第四スイッチ２８として、二つのスイッチ２８ａ，２８ｂを有する。スイッチ２８ａは、定電圧源１４の出力と、第一コンデンサ２１の第一電極２１ａとを接続および遮断するスイッチである。スイッチ２８ｂは、第一コンデンサ２１の第二電極２１ｂと第四コンデンサ２４の第二電極２４ｂとを接続および遮断するスイッチである。第五スイッチ２９は、スイッチ２６ａと第一コンデンサ２１の第二電極２１ｂとを接続および遮断するスイッチである。運針モードでは、第四スイッチ２８がオフとされ、かつ第五スイッチ２９がオンとされる。この場合、第一スイッチ２５がオンとされ、第二スイッチ２６がオフとされることで、昇圧回路１５は、図７に示す回路と等価な回路となる。また、第一スイッチ２５がオフとされ、第二スイッチ２６がオンとされることで、昇圧回路１５は、図８に示す回路と等価な回路となる。
【００８５】
一方、停止モードでは、第四スイッチ２８がオンとされ、かつ第五スイッチ２９がオフとされる。この場合、第一スイッチ２５がオンとされ、かつ第二スイッチ２６がオフとされることで、昇圧回路１５は図７に示す回路と等価な回路となる。また、第一スイッチ２５がオフとされ、かつ第二スイッチ２６がオンとされることで、昇圧回路１５は、図２０に示す回路と等価な回路となる。図２０に示す回路では、第二コンデンサ２２および第三コンデンサ２３は、定電圧源１４に対して直列に接続される。第一コンデンサ２１は、定電圧源１４に対して並列に接続される。従って、定電圧源１４の電圧が三倍に昇圧されて第四コンデンサ２４に蓄電される。つまり、第四スイッチ２８および第五スイッチ２９のオン／オフに応じて、昇圧回路１５における昇圧倍率が三倍または四倍に切り替わる。
【００８６】
本変形例の制御回路２０は、運針モードでは昇圧回路１５の昇圧倍率を四倍とし、停止モードでは昇圧回路１５の昇圧倍率を三倍とする。つまり、制御回路２０は、停止モードにおける昇圧回路１５の昇圧倍率を運針モードにおける昇圧回路１５の昇圧倍率よりも低くする。停止モードにおける昇圧倍率が低くされることで、貫通電流も電圧に比例して下がるため、停止モードにおける昇圧回路１５の消費電力が低減される。
【００８７】
なお、運針モードの昇圧倍率と停止モードの昇圧倍率との比率は、例示した比率には限定されない。例えば、停止モードの昇圧倍率は、運針モードの昇圧倍率の半分や１／３とされてもよい。
【００８８】
［実施形態の第２変形例］
上記第１実施形態および第２実施形態の第２変形例について説明する。図２１は、実施形態の第２変形例に係る昇圧回路を示す図である。第２変形例の昇圧回路１５は、昇圧電圧が蓄電されるコンデンサが切り替え可能である。第２変形例の昇圧回路１５は、第四コンデンサ２４として、二つのコンデンサ２４１，２４２を有する。二つのコンデンサ２４１，２４２は、並列に接続されている。一方のコンデンサ２４１の容量は、他方のコンデンサ２４２の容量よりも大きい。昇圧回路１５は、第六スイッチ３０Ａおよび第七スイッチ３０Ｂを有する。第六スイッチ３０Ａは、一方のコンデンサ２４１の第一電極２４ａと、スイッチ２６ｄおよび静電モータ駆動回路１３とを接続および遮断する。第七スイッチ３０Ｂは、他方のコンデンサ２４２の第一電極２４ａと、スイッチ２６ｄおよび静電モータ駆動回路１３とを接続および遮断する。昇圧回路１５は、運針モードでは第六スイッチ３０Ａをオンとし、かつ第七スイッチ３０Ｂをオフとする。これにより、昇圧電圧が一方のコンデンサ２４１に蓄電される。昇圧回路１５は、停止モードでは第六スイッチ３０Ａをオフとし、かつ第七スイッチ３０Ｂをオンとする。これにより、昇圧電圧が他方のコンデンサ２４２に蓄電される。
【００８９】
停止モードにおいて小容量のコンデンサ２４２に昇圧電圧が蓄電されることで、電荷のリーク等による損失が低減される。よって、第２変形例の昇圧回路１５は、停止モードにおける消費電力を低減させることができる。
【００９０】
［実施形態の第３変形例］
上記第１実施形態および第２実施形態の第３変形例について説明する。エレクトレット膜４２は、プラスの電位に帯電していてもよい。この場合、停止モードにおいて、対向電極が負極とされ、隣接電極が正極とされる。
【００９１】
なお、対向電極の極性および隣接電極の極性の組み合わせは、例示した組み合わせには限定されない。すなわち、回転子４０を停止させておく静電力を発生できるように、対向電極および隣接電極の極性および電位の大きさが適宜定められればよい。
【００９２】
［実施形態の第４変形例］
静電モータ１１によって駆動される指針は、秒針２には限定されない。静電モータ１１によって駆動される指針は、クロノグラフ用の指針であってもよい。この場合、クロノグラフ機能が使用されない間は、クロノグラフ用の指針が静電モータ１１によって停止される。つまり、クロノグラフ機能が使用されないときの制御モードが上記の停止モードに相当する。また、クロノグラフ機能が使用されるときの制御モードが上記の運針モードに相等する。
【００９３】
電子時計１は、秒針２に加えて、分針３や時針４を静電モータ１１によって駆動するように構成されてもよい。この場合、停止モードでは、秒針２に加えて分針３や時針４が停止される。
【００９４】
電子時計１は、電磁モータ１２に代えて、第二の静電モータによって分針３および時針４を駆動するように構成されてもよい。この場合、制御回路２０は、停止モードにおいて第二の静電モータによって分針３および時針４を運針させ、静電モータ１１を停止させる。
【００９５】
上記の各実施形態および変形例に開示された内容は、適宜組み合わせて実行することができる。例えば、上記第１実施形態の電子時計１において、停止モードでは昇圧回路１５による昇圧を停止させ、静電モータ１１に対して電源１７の電圧以下の電圧を供給するようにしてもよい。第１実施形態の電子時計１において、停止モードの昇圧倍率が運針モードの昇圧倍率よりも低くされてもよい。第２実施形態の電子時計１において、停止モードでは昇圧回路１５の昇圧クロック数を運針モードの昇圧クロック数よりも低くしてもよい。
【符号の説明】
【００９６】
１  電子時計
２  秒針
３  分針
４  時針
５  輪列
１１  静電モータ
１２  電磁モータ
１３  静電モータ駆動回路
１４  定電圧源
１５  昇圧回路
１６  発電機構
１７  電源
１８  操作部
２０  制御回路
２１  第一コンデンサ
２２  第二コンデンサ
２３  第三コンデンサ
２４  第四コンデンサ
２５  第一スイッチ
２６  第二スイッチ
２７  第三スイッチ
２８  第四スイッチ
２９  第五スイッチ
３０Ａ  第六スイッチ
３０Ｂ  第七スイッチ
３１  外装ケース
３２  文字板
３３  目盛り
３４  時字
３５  節電表示
３６  充電警告表示
４０  回転子
４１  回転軸
４２  エレクトレット膜
４２ａ  中央部
４３  貫通孔
５０  固定子
５１  第一電極
５２  第二電極
５３  第三電極
５４  電極群
６０Ａ  第一固定子
６０Ｂ  第二固定子
６１  第一電極
６２  第二電極
６３  第三電極
ＣＷ  回転方向
Ｆ１，Ｆ１１，Ｆ１２，Ｆ１３  静電引力
Ｆ２，Ｆ２１，Ｆ２２，Ｆ２３，Ｆ２４，Ｆ２５，Ｆ２６  静電斥力
【図１】
2020041871.tif 000003
【図２】
2020041871.tif 000004
【図３】
2020041871.tif 000005
【図４】
2020041871.tif 000006
【図５】
2020041871.tif 000007
【図６】
2020041871.tif 000008
【図７】
2020041871.tif 000009
【図８】
2020041871.tif 000010
【図９】
2020041871.tif 000011
【図１０】
2020041871.tif 000012
【図１１】
2020041871.tif 000013
【図１２】
2020041871.tif 000014
【図１３】
2020041871.tif 000015
【図１４】
2020041871.tif 000016
【図１５】
2020041871.tif 000017
【図１６】
2020041871.tif 000018
【図１７】
2020041871.tif 000019
【図１８】
2020041871.tif 000020
【図１９】
2020041871.tif 000021
【図２０】
2020041871.tif 000022
【図２１】
2020041871.tif 000023